(57)【要約】【課題】着呼率を低下させることなく、ユーザごとの生活スタイルに合わせた、最適なセルサーチの実行を実現する。【解決手段】設定部１６Ａで、当該携帯電話端末を利用するユーザの生活スタイルに基づいて、各時間帯における当該携帯電話端末の端末使用状態を示す生活スタイルデータを設定し、生活スタイルデータの各時間帯における端末使用状態に基づいて間引き率を算出し、通信処理部１６Ｂで、当該間引き率に基づいてセルサーチのうち未検出セルをサーチするための未検出セルサーチの実行を間引く。【選択図】  図１
2011114461.tif 000002
【特許請求の範囲】
【請求項１】
待ち受け時に周辺セルをサーチするセルサーチを間欠的に実行する携帯無線端末であって、
当該携帯電話端末を利用するユーザの生活スタイルに基づいて、各時間帯における当該携帯電話端末の端末使用状態を示す生活スタイルデータを設定する設定部と、
前記生活スタイルデータの各時間帯における端末使用状態に基づいて間引き率を算出し、当該間引き率に基づいて前記セルサーチのうち未検出セルをサーチするための未検出セルサーチの実行を間引く通信処理部と
を備えることを特徴とする携帯電話端末。
【請求項２】
請求項１に記載の携帯電話端末において、
前記通信処理部は、当該携帯電話端末で通信あるいは操作が行われた場合、一定期間あるいは一定回数だけ前記未検出セルサーチの間引きを停止した後、前記未検出セルサーチの間引きを再開することを特徴とする携帯電話端末。
【請求項３】
請求項１に記載の携帯電話端末において、
前記設定部は、当該携帯電話端末の使用頻度を前記時間帯ごとに複数回計数して平均使用頻度を算出し、得られた平均使用頻度に基づいて前記各時間帯における前記端末使用状態を設定することを特徴とする携帯電話端末。
【請求項４】
請求項３に記載の携帯電話端末において、
前記設定部は、前記使用頻度として当該携帯電話端末での通信回数または操作回数を前記時間帯ごとに計数することを特徴とする携帯電話端末。
【請求項５】
請求項３に記載の携帯電話端末において、
前記設定部は、前記使用頻度として当該携帯電話端末での操作時間または通信時間を前記時間帯ごとに計時することを特徴とする携帯電話端末。
【請求項６】
請求項１に記載の携帯電話端末において、
前記設定部は、操作入力に基づいて前記各時間帯における前記端末使用状態を設定することを特徴とする携帯電話端末。
【請求項７】
請求項１に記載の携帯電話端末において、
前記設定部は、当該携帯電話端末の使用頻度を前記時間帯ごとに複数回計数して平均使用頻度を算出し、前記各時間帯における平均使用頻度のうち最大値で、対象時間帯の平均使用頻度を除算して、１から減算することにより、当該対象時間帯の間引き率を算出することを特徴とする携帯電話端末。
【請求項８】
待ち受け時に周辺セルをサーチするセルサーチを間欠的に実行する携帯無線端末のセルサーチ制御方法であって、
当該携帯電話端末を利用するユーザの生活スタイルに基づいて、各時間帯における当該携帯電話端末の端末使用状態を示す生活スタイルデータを設定する設定ステップと、
前記生活スタイルデータの各時間帯における端末使用状態に基づいて間引き率を算出し、当該間引き率に基づいて前記セルサーチのうち未検出セルをサーチするための未検出セルサーチの実行を間引く通信処理ステップと
を備えることを特徴とするセルサーチ制御方法。
【発明の詳細な説明】
【技術分野】
【０００１】
本発明は、無線通信技術に関し、特に携帯電話端末から周辺セルをモニタ・サーチするセルサーチ制御技術に関する。
【背景技術】
【０００２】
携帯電話端末は、通信を行っていない待ち受け状態において様々なセルのサーチやレベル測定などの様々な処理を行っている。例えば、ＷＣＤＭＡ（Wideband Code Division Multiple Access）システムの携帯電話端末は、共通パイロットチャネル（ＣＰＩＣＨ：Common Pilot Channel）の希望波受信電力（ＲＳＣＰ：Received Signal Code Power）やノイズ信号比（Ｅｃ／Ｎｏ）を測定することにより電界レベルを把握する処理を行っている。
【０００３】
また、携帯電話端末は、待ち受け状態において、着信を受けるためにページングチャネルを受信するアクティブセルのレベル測定、アクティブセルの周辺のセルで検出済みになったモニタセルのレベル測定、未検出のセル、すなわち未検出セルのサーチなど、各種のセルサーチを定期的に行っている。特に、アクティブセルの報知情報には遷移対象のセルに関する周波数やスクランブルコードの情報が付加されており、携帯電話端末はこの報知情報より遷移対象となるセルをモニタリングする。
【０００４】
しかしながら、このようなセルサーチは、ユーザによる携帯電話端末の使用環境や使用状況によっては、さほど頻繁に行う必要がなく、過剰な実行により無駄な電流を消費している可能性がある。
このような過剰なセルサーチを改善するため、ＷＣＤＭＡシステムにおいては、アクティブセルの電界レベルがあるしきい値以上である場合、周辺セルのレベル測定およびサーチを停止する仕組み（３ＧＰＰＴＳ２５．３０４規定）が規定されている。
しかし、当該しきい値は基地局側で指定されているため各ユーザ間で一定であり、電界がしきい値以下となる可能性が高い基地局から遠い環境にいるユーザでは本機能は適用されず不要なサーチによる消費電流の削減は期待しにくい。
【０００５】
これに対して、セルサーチを削減する関連技術として、受信電界強度に基づき静止状態を判定して周辺セルのレベル測定を停止する技術（例えば、特許文献１など参照）、受信電界強度、移動機の位置や場所、および移動量に基づいて、セルサーチ周期を変更する技術（例えば、特許文献２など参照）、さらには、着信頻度と受信電界に基づいて、セルサーチ周期を変更する技術（例えば、特許文献３など参照）が提案されている。
【先行技術文献】
【特許文献】
【０００６】
【特許文献１】特開２００５−１６７３１８号公報
【特許文献２】特開２０００−２６１３６４号公報
【特許文献３】特開２００８−１４７７７８号公報
【発明の概要】
【発明が解決しようとする課題】
【０００７】
しかしながら、携帯電話端末の使用環境や使用状況が異なる様々な生活スタイルを持つユーザが存在するため、このような関連技術では、必ずしも個々のユーザごとに合わせた、最適なセルサーチを実行できていないという問題があった。また、セルサーチに含まれる個々の処理の重要性が考慮されておらず、着呼率の低下を招く可能性があるという問題点もあった。
【０００８】
例えば、ユーザが就寝している時間帯や仕事でオフィスにいる時間帯は、静止環境にいる可能性が高く、また通信を行う可能性が低い。一方、深夜に車や列車で移動しているような場合は、発信も着信も行わない可能性が高い。したがって、このような未使用期間では、セルサーチを頻繁に実行する必要がないため、このような未使用期間を適切に把握する必要がある。
しかしながら、このような未使用期間は、ユーザごとの生活スタイルに大きく左右されるものであり、前述した関連技術で用いている、携帯電話端末における電波状況や、携帯電話端末の場所や移動状況からは、上記のような未使用期間を正確に把握することはできない。このため、未使用期間であっても、セルサーチを頻繁に実行する場合があった。
【０００９】
また、セルサーチでは、ページングチャネルを受信するアクティブセルのレベル測定、アクティブセルの周辺のセルで検出済みになったモニタセルのレベル測定、未検出セルのサーチなど、各種の処理が実行される。これら処理のうち、アクティブセルのレベル測定については、他のモニタセルのレベル測定や未検出セルのサーチなどの処理に比較して、重要性が高い。その理由は、アクティブセルの受信電界レベルが低下した場合、アクティブセルからの着信通知を正常に受信できなくなるからである。
したがって、前述した関連技術のように、セルサーチに含まれる各処理の重要性を考慮せずに一律に扱って、これらの実行を削減した場合、着呼率の低下を招く可能性がある。
【００１０】
本発明はこのような課題を解決するためのものであり、着呼率を低下させることなく、ユーザごとの生活スタイルに合わせた、最適なセルサーチの実行を実現できるセルサーチ制御技術を提供することを目的としている。
【課題を解決するための手段】
【００１１】
このような目的を達成するために、本発明にかかる携帯電話端末は、待ち受け時に周辺セルをサーチするセルサーチを間欠的に実行する携帯無線端末であって、当該携帯電話端末を利用するユーザの生活スタイルに基づいて、各時間帯における当該携帯電話端末の端末使用状態を示す生活スタイルデータを設定する設定部と、生活スタイルデータの各時間帯における端末使用状態に基づいて間引き率を算出し、当該間引き率に基づいてセルサーチのうち未検出セルをサーチするための未検出セルサーチの実行を間引く通信処理部とを備えている。
【００１２】
また、本発明にかかるセルサーチ制御方法は、待ち受け時に周辺セルをサーチするセルサーチを間欠的に実行する携帯無線端末のセルサーチ制御方法であって、当該携帯電話端末を利用するユーザの生活スタイルに基づいて、各時間帯における当該携帯電話端末の端末使用状態を示す生活スタイルデータを設定する設定ステップと、生活スタイルデータの各時間帯における端末使用状態に基づいて間引き率を算出し、当該間引き率に基づいてセルサーチのうち未検出セルをサーチするための未検出セルサーチの実行を間引く通信処理ステップとを備えている。
【発明の効果】
【００１３】
本発明によれば、従来のセルサーチ制御技術で用いていた、携帯電話端末の静止状態、受信電界強度、移動機の位置や場所、および移動量からは把握できない、ユーザごとの生活スタイルに合わせた、最適なセルサーチの実行を実現できる。また、アクティブセルのレベル測定とモニタセルのレベル測定は通常通り実行されるため、アクティブセルからの着信通知を正常に受信できる。したがって、着呼率を低下させることなく、ユーザごとの生活スタイルに合わせた、最適なセルサーチの実行を実現することが可能となる。
【図面の簡単な説明】
【００１４】
【図１】第１の実施形態にかかる携帯電話端末の構成を示すブロック図である。
【図２】履歴データの構成例である。
【図３】生活スタイルデータの構成例である。
【図４】間引きデータの構成例である。
【図５】第１の実施形態にかかる生活スタイルデータ設定処理を示すフローチャートである。
【図６】第１の実施形態にかかる未検出セルサーチ制御処理を示すフローチャートである。
【図７】各時刻における端末使用状態を示す説明図である。
【図８】第２の実施形態にかかる生活スタイルデータ設定処理を示すフローチャートである。
【図９】平日に関する生活スタイルデータの設定例である。
【図１０】休日に関する生活スタイルデータの設定例である。
【発明を実施するための形態】
【００１５】
次に、本発明の実施形態について図面を参照して説明する。
［第１の実施形態］
まず、図１を参照して、本発明の第１の実施形態にかかる携帯電話端末について説明する。図１は、第１の実施形態にかかる携帯電話端末の構成を示すブロック図である。
この携帯電話端末１０は、周辺に位置する基地局２０（２１，２２，２３）との無線通信を介して音声通話を行うとともに電子メールやウェブ閲覧などのデータ通信を行う無線端末であり、待ち受け時にこれら基地局２０により形成される周辺セルをそれぞれモニタ・サーチして、無線通信に必要な各種情報を収集するセルサーチ機能を有している。
【００１６】
基地局２０のうち、基地局２１は、携帯電話端末１０が現在接続中のアクティブセルを形成する基地局であり、基地局２２は、携帯電話端末１０の移動先となりうるモニタセルを形成する基地局である。また基地局２３は、携帯電話端末１０がまだ検出していない未検出セルを形成する基地局である。
【００１７】
本実施形態は、当該携帯電話端末を利用するユーザの生活スタイルに基づいて、各時間帯における当該携帯電話端末の端末使用状態を示す生活スタイルデータを設定し、この生活スタイルデータの各時間帯における端末使用状態に基づいて間引き率を算出し、当該間引き率に基づいてセルサーチのうち未検出セルをサーチするための未検出セルサーチの実行を間引くようにしたものである。
【００１８】
次に、図１を参照して、本実施形態にかかる携帯電話端末１０の構成について詳細に説明する。
この携帯電話端末１０には主な機能部として、無線部１１、音声処理部１２、操作入力部１３、画面表示部１４、記憶部１５、および制御部１６が設けられている。
【００１９】
無線部１１は、専用の無線回路からなり、周辺に位置する基地局２０との間で無線通信を行う機能と、待ち受け状態において、着信を受けるためにページングチャネルを受信するアクティブセルのレベル測定、アクティブセルの周辺のセルで検出済みになったモニタセルのレベル測定、未検出のセル、すなわち未検出セルのサーチなど、各種のセルサーチを定期的に行う機能とを有している。
【００２０】
音声処理部１２は、専用の音声処理回路からなり、無線部１１で受信した音声データを音声信号に復号してスピーカから出力する機能と、マイクから入力された音声信号を音声データへ符号化して無線部１１へ出力する機能と、制御部１６からの指示に応じて着信音などの各種信号音、楽曲、音声メッセージなどの各種音声信号をスピーカから出力する機能とを有している。
【００２１】
操作入力部１３は、ダイヤルキーや機能キーなどの操作キーや操作スイッチからなり、ユーザ操作を検出して制御部１６へ出力する機能を有している。
画面表示部１４は、ＬＣＤなどの画面表示装置からなり、制御部１６から出力された操作メニュー、電話帳、電子メール、ウェブデータなどの各種データを画面表示する機能を有している。
【００２２】
記憶部１５は、半導体メモリなどの記憶装置からなり、制御部１６で用いる各種処理情報やプログラム１５Ｐを記憶する機能を有している。
記憶部１５で記憶する主な処理情報として、履歴データ１５Ａ、生活スタイルデータ１５Ｂ、および間引きデータ１５Ｃがある。
【００２３】
履歴データ１５Ａは、携帯電話端末１０での通信回数を１日の時間帯ごとに計時した履歴を示すデータである。図２は、履歴データの構成例である。ここでは、１日を４時間単位で分割して設けた時間帯ごとに、携帯電話端末１０で行った通信回数を計時したものが、過去７日間にわたって記録されている。また、これら通信回数が時間帯ごとに合計されて、ここでは過去７日分の平均値、すなわち当該時間帯における１日当たりの平均通信回数が算出されている。このように複数日にわたり通信回数を記録して平均通信回数を算出することにより、日ごとのバラツキを抑制することができる。なお、平均通信回数は過去７日分に限定されるものではなく、過去２日分以上の通信回数を平均すればよい。
【００２４】
生活スタイルデータ１５Ｂは、携帯電話端末１０を利用するユーザの生活スタイルに基づいて、各時間帯における携帯電話端末１０の端末使用状態を示すデータである。図３は、生活スタイルデータの構成例である。ここでは、１日を４時間単位で分割して設けた時間帯ごとに、端末使用状態が設定されている。本実施形態では、端末使用状態を「ｓｌｅｅｐ」、「ｎｏｎａｃｔｉｖｅ」、および「ａｃｔｉｖｅ」の３つの使用レベルに分類している。このうち「ｓｌｅｅｐ」は通信を行う可能性がほとんどない状態、「ｎｏｎａｃｔｉｖｅ」は通信を行う可能性が低い状態、「ａｃｔｉｖｅ」は頻繁に通信を行う状態を示しており、平均通信回数としきい値との比較結果に応じて各時間帯の端末使用状態が設定される。なお、端末使用状態の分類数は３つに限定されるものではなく、２つ以上の使用レベルに分類すればよい。
【００２５】
間引きデータ１５Ｃは、端末使用状態と間引き率との関係を示すデータである。図４は間引きデータの構成例である。ここでは、端末使用状態「ｓｌｅｅｐ」、「ｎｏｎａｃｔｉｖｅ」、「ａｃｔｉｖｅ」に対して、それぞれ間引き率「１００％」、「５０％」、「０％」が対応付けられている。このうち間引き率「５０％」は、２回に１回の割合で未検出セルサーチの実行を間引くことを意味している。また間引き率「１００％」は、すべての未検出セルサーチの実行を間引くこと、すなわち未検出セルサーチを停止することを意味し、間引き率「０％」は、すべての未検出セルサーチの実行を間引かないこと、すなわち通常通り未検出セルサーチを実行することを意味している。
【００２６】
制御部１６は、ＣＰＵなどのマイクロプロセッサからなり、記憶部１５のプログラム１５Ｐを読み込んで実行することにより、各種の処理部を実現する機能を有している。
制御部１６で実現される主な処理部として、設定部１６Ａと通信処理部１６Ｂがある。
【００２７】
設定部１６Ａは、携帯電話端末１０を利用するユーザの生活スタイルに基づいて、各時間帯における携帯電話端末１０の端末使用状態を示す生活スタイルデータ１５Ｂを設定する機能を有している。具体的には、携帯電話端末１０の使用頻度を時間帯ごとに複数回計数して平均使用頻度を算出し、得られた平均使用頻度に基づいて各時間帯における端末使用状態を設定する。本実施形態では、携帯電話端末１０の使用頻度として、通信処理部１６Ｂからの通知に基づき携帯電話端末１０での通信回数を計数する。
【００２８】
通信処理部１６Ｂは、アクティブセルの基地局からの着信通知に応じた着信処理、操作入力部１３での発信操作に応じた発信処理などの音声通話に関する呼制御、電子メール送受信、ウェブ閲覧処理など、無線部１１を用いた無線通信に関する各種処理を行う機能と、生活スタイルデータ１５Ｂの各時間帯における端末使用状態に基づいて間引き率を算出し、当該間引き率に基づいて無線部１１でのセルサーチのうち、アクティブセルのレベル測定とモニタセルのレベル測定を通常通り実行し、未検出セルをサーチするための未検出セルサーチの実行を間引く機能を有している。
【００２９】
また、通信処理部１６Ｂは、携帯電話端末１０で通信あるいは操作が行われた場合、一定期間あるいは一定回数だけ、無線部１１での未検出セルサーチの間引きを停止した後、未検出セルサーチの間引きを再開する機能を有している。
一般的な携帯電話端末において、待ち受け時、アクティブセルのレベル測定、モニタセルのレベル測定、未検出セルサーチを含む通常の周辺セルサーチを実行した場合、およそ１．６ｍＡ程度となるが、未検出セルサーチを停止（間引き率１００％）した場合、０．５〜０．８ｍＡ程度、消費電流が削減され、約３０％〜５０％の消費電力が削減される。
【００３０】
［第１の実施形態の動作］
次に、本実施形態にかかる携帯電話端末の動作について詳細に説明する。
まず、図５を参照して、本実施形態にかかる携帯電話端末の生活スタイルデータ設定処理について説明する。図５は、第１の実施形態にかかる生活スタイルデータ設定処理を示すフローチャートである。
【００３１】
まず、携帯電話端末１０の制御部１６は、設定部１６Ａにより、対象時間帯における通信回数を初期化した後（ステップ１００）、着信処理または／および発信処理に応じて通信処理部１６Ｂからの通知の待ち受け状態となる（ステップ１０１：ＮＯ）。ここで、通信が行われたことを示す通知があった場合（ステップ１０１：ＹＥＳ）、設定部１６Ａは、この通知に基づき携帯電話端末１０での通信回数を計数する（ステップ１０２）。
この後、設定部１６Ａは、例えばＣＰＵの時計機能を利用して、対象時間帯が終了したか確認し（ステップ１０３）、終了していない場合には（ステップ１０３：ＮＯ）、ステップ１０１へ戻る。
【００３２】
一方、対象時間帯が終了した場合（ステップ１０３：ＹＥＳ）、設定部１６Ａは、計数した通信回数を記憶部１５の履歴データ１５Ａに記録して（ステップ１０４）、対象時間帯に対応する累積期間分の平均通信回数を算出する（ステップ１０５）。この後、設定部１６Ａは、この平均通信回数と記憶部１５に予め設定されているしきい値との比較結果に基づき、当該時間帯の端末使用状況を判定して記憶部１５の生活スタイルデータ１５Ｂへ設定し（ステップ１０６）、ステップ１００へ戻る。
【００３３】
このようにして、携帯電話端末１０の各時間帯における通信回数に基づいて、記憶部１５の生活スタイルデータ１５Ｂの各時間帯における端末使用状態が設定される。なお、通信回数としては、着信回数または発信回数のいずれか一方を計数してもよく、両方を計数してもよい。また音声通話に関する通信回数ではなく、電子メールの送信回数または／および受信回数や、ウェブ閲覧回数を通信回数として計数してもよく、これら回数を任意に組み合わせて計数してもよい。
【００３４】
次に、図６を参照して、本実施形態にかかる携帯電話端末の未検出セルサーチ制御処理について説明する。図６は、第１の実施形態にかかる未検出セルサーチ制御処理を示すフローチャートである。
【００３５】
まず、携帯電話端末１０の制御部１６は、通信処理部１６Ｂにより、記憶部１５の生活スタイルデータ１５Ｂから、処理時点の時間帯における端末使用状態を取得し（ステップ１１０）、記憶部１５の間引きデータ１５Ｃを参照して、当該端末使用状態と対応する間引き率を算出し（ステップ１１１）、この間引き率に基づき無線部１１における未検出セルサーチの間引きを行う（ステップ１１２）。
【００３６】
したがって、図３の生活スタイルデータ１５Ｂでは、時間帯「２０時−２４時」において端末使用状態が「ｎｏｎａｃｔｉｖｅ」であることから、図４の間引きデータ１５Ｃに基づき、時間帯「２０時−２４時」の間引き率は「５０％」となる。このため、時間帯「２０時−２４時」における無線部１１での未検出セルサーチは２回に１回の割合で間引きが行われることになる。
また、時間帯「０時−４時」において端末使用状態が「ｓｌｅｅｐ」であることから、図４の間引きデータ１５Ｃに基づき、時間帯「０時−４時」の間引き率は「１００％」となる。このため、時間帯「０時−４時」における無線部１１での未検出セルサーチはすべて間引かれて、未検出セルサーチは停止状態となる。
【００３７】
このようにして、間引き率に基づく未検出セルサーチの実行が開始された後、携帯電話端末１０で任意の通信あるいは任意の操作が行われた場合（ステップ１１３：ＹＥＳ）、通信処理部１６Ｂは、一定期間分あるいは一定回数分の未検出セルサーチについて、無線部１１での間引きを一時停止した後（ステップ１１４）、ステップ１１２へ戻って、未検出セルサーチの間引きを再開する。
これにより、間引き期間中において、実際に携帯電話端末１０が使用された場合には、未検出セルサーチの間引きが停止されて、通常通りの通信動作が提供される。
【００３８】
［第１の実施形態の効果］
このように、本実施形態は、設定部１６Ａで、当該携帯電話端末を利用するユーザの生活スタイルに基づいて、各時間帯における当該携帯電話端末の端末使用状態を示す生活スタイルデータを設定し、生活スタイルデータの各時間帯における端末使用状態に基づいて間引き率を算出し、通信処理部１６Ｂで、当該間引き率に基づいてセルサーチのうち未検出セルをサーチするための未検出セルサーチの実行を間引くようにしている。
【００３９】
このため、従来のセルサーチ制御技術で用いていた、携帯電話端末の静止状態、受信電界強度、移動機の位置や場所、および移動量からは把握できない、ユーザごとの生活スタイルに合わせた、最適なセルサーチの実行を実現できる。また、アクティブセルのレベル測定とモニタセルのレベル測定は通常通り実行されるため、アクティブセルからの着信通知を正常に受信できる。したがって、着呼率を低下させることなく、ユーザごとの生活スタイルに合わせた、最適なセルサーチの実行を実現することが可能となる。
【００４０】
また、本実施形態では、通信処理部１６Ｂで、当該携帯電話端末１０で通信あるいは操作が行われた場合、一定期間あるいは一定回数だけ未検出セルサーチの間引きを停止した後、未検出セルサーチの間引きを再開するようにしたので、間引き期間中において、実際に携帯電話端末１０が使用された場合には、未検出セルサーチの間引きが停止されるため、間引き期間中であっても通常通りの通信動作をユーザに対して提供することができる。
【００４１】
また、本実施形態では、設定部１６Ａで、携帯電話端末１０の使用頻度を時間帯ごとに複数回計数して平均使用頻度を算出し、得られた平均使用頻度に基づいて各時間帯における端末使用状態を設定するようにしたので、ユーザごとの生活スタイルに応じた端末使用状態を的確に把握することができる。
この際、本実施形態では、携帯電話端末１０の使用頻度として、通信処理部１６Ｂからの通知に基づき携帯電話端末１０での通信回数を計数するようにしたので、複雑なアルゴリズムや新たな回路部を必要とすることなく簡素な処理で、ユーザごとの生活スタイルに応じた端末使用状態を的確に把握することができる。
【００４２】
また、本実施形態において、設定部１６Ａで、端末使用状態を設定する際、携帯電話端末１０の使用頻度として、通信回数に代えて操作回数を計数して時間帯ごとに平均操作回数を算出し、得られた平均操作回数に基づいて各時間帯における端末使用状態を設定するようにしてもよい。これにより、複雑なアルゴリズムや新たな回路部を必要とすることなく簡素な処理で、実際には通信を伴わない携帯電話端末１０の利用を考慮した端末使用状態を的確に把握することができる。
また、携帯電話端末１０の使用頻度として、通信回数と操作回数の両方を計数し、得られた平均通信回数と平均操作回数を組み合わせて各時間帯における端末使用状態を設定するようにしてもよい。
【００４３】
また、本実施形態では、図３に示したように、端末使用状態を判定する時間帯を４時間にした場合を例として説明したが、この時間帯を数分〜数十分まで短くするとともに、通信回数の累積数を増やしてもよい。
図７は、各時刻における端末使用状態を示す説明図である。ここでは、各時間帯の通信回数を、しきい値ｓおよびしきい値ａと比較することにより、端末使用状態を判定している。
【００４４】
すなわち、しきい値ｓを下回った期間を「ｓｌｅｅｐ」と判定し、しきい値ａ以上となった期間を「ａｃｔｉｖｅ」と判定し、しきい値ｓ以上でしきい値ａを下回った期間を「ｎｏｎａｃｔｉｖｅ」と判定している。
これにより、累積通信回数について滑らかな分布が得られるため、ユーザごとの生活スタイルに応じた端末使用状態を、少ない誤差で的確に把握することができる。
【００４５】
［第２の実施形態］
次に、本発明の第２の実施形態について説明する。
第１の実施形態では、各時間帯における端末使用状態を設定するための使用頻度として、各時間帯の平均通信回数を用いる場合を例として説明した。本実施形態では、使用頻度として、各時間帯の平均操作時間を用いる場合について説明する。
【００４６】
本実施形態にかかる制御部１６の設定部１６Ａは、携帯電話端末１０の使用頻度として、携帯電話端末１０での操作時間を計時して時間帯ごとに平均操作時間を算出し、得られた平均操作時間に基づいて各時間帯における端末使用状態を設定する機能を有している。
その他の構成については、第１の実施形態と同様であり、ここでの詳細な説明は省略する。また、未検出セルサーチ制御処理についても、第１の実施形態と同様であり、ここでの詳細な説明は省略する。
【００４７】
［第２の実施形態の動作］
次に、図８を参照して、本実施形態にかかる携帯電話端末の生活スタイルデータ設定処理について説明する。図８は、第２の実施形態にかかる生活スタイルデータ設定処理を示すフローチャートである。
【００４８】
まず、携帯電話端末１０の制御部１６は、設定部１６Ａにより、対象時間帯における通信回数を初期化した後（ステップ２００）、繰越フラグがＯＮかどうか確認する（ステップ２０１）。繰越フラグとは異なる時間帯を跨いで携帯電話端末１０が操作されていることを示すフラグである。
ここで、繰越フラグがＯＦＦの場合（ステップ２０１：ＮＯ）、設定部１６Ａは、操作入力部１３からのユーザ操作開始通知の待ち受け状態となる（ステップ２０２：ＮＯ）。
【００４９】
この後、ユーザ操作の開始通知があった場合（ステップ２０２：ＹＥＳ）、設定部１６Ａは、例えばＣＰＵの時計機能を利用して、操作時間の計時を開始する（ステップ２０３）。
一方、ステップ２０１において、繰越フラグがＯＮの場合（ステップ２０１：ＹＥＳ）、設定部１６Ａは、ステップ２０３へ移行して、直ちに操作時間の計時を開始する（ステップ２０３）。
【００５０】
ステップ２０３の後、設定部１６Ａは、操作入力部１３からのユーザ操作終了通知または対象時間帯終了の待ち受け状態となる（ステップ２０５：ＮＯ，ステップ２１１：ＮＯ）。ここで、ユーザ操作の終了通知があった場合（ステップ２０５：ＹＥＳ）、設定部１６Ａは、操作時間の計時を終了する（ステップ２０６）。この後、設定部１６Ａは、例えばＣＰＵの時計機能を利用して、対象時間帯が終了したか確認し（ステップ２０７）、終了していない場合には（ステップ２０７：ＮＯ）、ステップ２０２へ戻る。
一方、対象時間帯が終了した場合（ステップ２０７：ＹＥＳ）、設定部１６Ａは、計時した操作時間を記憶部１５の履歴データ１５Ａに記録する（ステップ２０８）。
【００５１】
また、待ち受け状態において、対象時間帯が終了した場合（ステップ２１１：ＹＥＳ）、設定部１６Ａは、操作時間の計時を終了し（ステップ２１２）、繰越フラグをＯＮにした後（ステップ２１３）、ステップ２０８へ以降して、それまでに計時した操作時間を記憶部１５の履歴データ１５Ａに記録する（ステップ２０８）。
【００５２】
ステップ２０８の後、設定部１６Ａは、履歴データ１５Ａに記録されている対象時間帯に対応する累積期間分の平均操作時間を算出し（ステップ２０９）、この平均操作時間と記憶部１５に予め設定されているしきい値との比較結果に基づき、当該時間帯の端末使用状況を判定して記憶部１５の生活スタイルデータ１５Ｂへ設定し（ステップ２１０）、ステップ２００へ戻る。
【００５３】
このようにして、携帯電話端末１０の各時間帯における操作時間に基づいて、記憶部１５の生活スタイルデータ１５Ｂの各時間帯における端末使用状態が設定される。なお、操作時間としては、携帯電話端末１０に設けられている各種機能の利用開始操作から利用終了操作までの時間を計時してもよく、予め設定した最大操作間隔以内で連続操作された時間を計時してもよい。また、無線通信に関係する特定操作を予め設定しておき、設定部１６Ａにより、この特定操作のみを操作時間の計時対象としてもよい。
【００５４】
［第２の実施形態の効果］
このように、本実施形態は、設定部１６Ａにより、携帯電話端末１０の使用頻度として携帯電話端末１０の操作時間を時間帯ごとに複数回計数して平均操作時間を算出し、得られた平均操作時間に基づいて各時間帯における端末使用状態を設定するようにしたので、複雑なアルゴリズムや新たな回路部を必要とすることなく簡素な処理で、実際には通信を伴わない携帯電話端末１０の利用を考慮した端末使用状態を的確に把握することができる。
【００５５】
また、本実施形態において、設定部１６Ａで、端末使用状態を設定する際、携帯電話端末１０の使用頻度として、操作時間に代えて通信時間を計時して時間帯ごとに平均通信時間を算出し、得られた平均通信時間に基づいて各時間帯における端末使用状態を設定するようにしてもよい。これにより、複雑なアルゴリズムや新たな回路部を必要とすることなく簡素な処理で、実際に通信を伴う携帯電話端末１０の利用のみを考慮した端末使用状態を的確に把握することができる。
また、携帯電話端末１０の使用頻度として、通信時間と操作時間の両方を計時し、得られた平均通信時間と平均操作時間を組み合わせて各時間帯における端末使用状態を設定するようにしてもよい。
【００５６】
［第３の実施形態］
次に、本発明の第３の実施形態にかかる携帯電話端末について説明する。
第１および第２の実施形態では、携帯電話端末１０の使用状況に応じて生活スタイルデータ１５Ｂを自動的に設定する場合を例として説明した。本実施形態では、ユーザにより生活スタイルデータ１５Ｂを設定する場合について説明する。
【００５７】
本実施形態にかかる制御部１６の設定部１６Ａは、操作入力部１３で検出したユーザ操作に応じて生活スタイルデータ１５Ｂを設定して記憶部１５へ保存する機能を有している。
その他の構成については、第１の実施形態と同様であり、ここでの詳細な説明は省略する。また、未検出セルサーチ制御処理についても、第１の実施形態と同様であり、ここでの詳細な説明は省略する。
【００５８】
図９は、平日に関する生活スタイルデータの設定例である。図１０は、休日に関する生活スタイルデータの設定例である。
この例では、平日の仕事中、平日・休日における食事終了から就寝まで、および休日の起床から外出までの各時間帯について、通信を行う可能性が低い「ｎｏｎａｃｔｉｖｅ」とし、平日・休日における就寝から起床までの時間帯について、通信を行う可能性がほとんどない「ｓｌｅｅｐ」とし、その他の時間帯を頻繁に通信を行う「ａｃｔｉｖｅ」に設定している。これら生活スタイルデータは、携帯電話端末１０のカレンダー機能により切り替えて用いられる。
【００５９】
［第３の実施形態の効果］
このように、本実施形態では、設定部１６Ａで、操作入力に基づいて各時間帯における端末使用状態を設定するようにしたので、複雑なアルゴリズムや新たな回路部を必要とすることなく極めて簡素な処理で、ユーザごとの生活スタイルに応じた端末使用状態を設定することができる。これにより、毎日の生活スタイルがあまり安定的ではないユーザであっても、ユーザが標準とする生活スタイルに合わせた、最適なセルサーチの実行を実現することが可能となる。
【００６０】
［第４の実施形態］
次に、本発明の第４の実施形態にかかる携帯電話端末について説明する。
第１の実施形態では、時間帯ごとに算出した携帯電話端末１０の平均使用頻度に基づき各時間帯の端末使用状態を判定し、これら端末使用状態に対応する間引き率を間引きデータ１５Ｃから算出する場合を例として説明した。本実施形態では、端末使用状態を判定せずに、平均使用頻度から間引き率を直接算出する場合について説明する。
【００６１】
本実施形態にかかる制御部１６の設定部１６Ａは、任意の時間帯の間引き率を算出する際、当該時間帯の平均使用頻度を、各時間帯の平均使用頻度のうちの最大値で除算し、得られた除算値を１から減算することにより間引き率を算出する機能を有している。
その他の構成については、第１の実施形態と同様であり、ここでの詳細な説明は省略する。また、未検出セルサーチ制御処理についても、第１の実施形態と同様であり、ここでの詳細な説明は省略する。
【００６２】
設定部１６Ａにおける、間引き率の具体的な算出例としては、例えば図２において、時間帯「８時−１２時」の平均通信回数（平均使用頻度）が「２．２９」であり、各時間帯の平均通信回数のうちの最大値が時間帯「１６時−２０時」の「３．１４」であるから、時間帯「８時−１２時」の間引き率は、１−（２．２９／３．１４）＝０．２７＝２７％となる。したがって、通信処理部１６Ｂは、時間帯「８時−１２時」において未検出セルサーチを通常時Ｋ回実行する場合、間引き率２７％であることから、時間帯「８時−１２時」においてＫ×０．２７回だけ未検出セルサーチの実行回数を間引き、実際にはＫ×（１−０．２７）回だけ未検出セルサーチを実行することになる。
【００６３】
なお、図２において、時間帯「０時−４時」の平均通信回数（平均使用頻度）が「０」であることから、この時間帯「０時−４時」における間引き率は１００％となり、未検出セルサーチの実行が停止される。また、時間帯「１６時−２０時」の平均通信回数（平均使用頻度）が「３．１４」であることから、この時間帯「１６時−２０時」における間引き率は０％となり、通常時と同様の回数だけ未検出セルサーチが実行される。
【００６４】
［第４の実施形態の効果］
このように、本実施形態は、設定部は、当該携帯電話端末の使用頻度を時間帯ごとに複数回計数して平均使用頻度を算出し、各時間帯における平均使用頻度のうち最大値で、対象時間帯の平均使用頻度を除算して１から減算することにより、当該対象時間帯の間引き率を算出するようにしたので、間引きデータ１５Ｃのような段階的に設定された間引き率ではなく、各時間帯の使用頻度に応じた間引き率で、詳細に未検出セルサーチを間引くことができる。
【００６５】
また、本実施形態では、対象時間帯の平均使用頻度を除算する分母として、各時間帯における平均使用頻度のうち最大値を用いる場合を例として説明したが、これに限定されるものではなく、例えば複数ユーザから統計的に別途算出して予め設定しておいた、各時間帯における平均使用頻度の最大値を、対象時間帯の平均使用頻度を除算する分母として用いてもよい。この場合、対象時間帯の平均使用頻度が分母より大きくなる可能性があるため、このようなケースについて、間引き率を０％として、通常通り未検出セルサーチを実行すればよい。
【００６６】
［実施形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【符号の説明】
【００６７】
１０…携帯電話端末、１１…無線部、１２…音声処理部、１３…操作入力部、１４…画面表示部、１５…記憶部、１５Ａ…履歴データ、１５Ｂ…生活スタイルデータ、１５Ｃ…間引きデータ、１５Ｐ…プログラム、１６…制御部、１６Ａ…設定部、１６Ｂ…通信処理部、２０…基地局、２１…基地局（アクティブセル）、２２…基地局（モニタセル）、２３…基地局（未検出セル）。
【図１】
2011114461.tif 000003
【図２】
2011114461.tif 000004
【図３】
2011114461.tif 000005
【図４】
2011114461.tif 000006
【図５】
2011114461.tif 000007
【図６】
2011114461.tif 000008
【図７】
2011114461.tif 000009
【図８】
2011114461.tif 000010
【図９】
2011114461.tif 000011
【図１０】
2011114461.tif 000012